(57)【特許請求の範囲】
【請求項１】
少なくとも第１のトリップ・ユニット（１３６）と第２のトリップ・ユニット（１３８）とを含む複数のトリップ・ユニット（１３４）であって、それぞれ、対応する回路遮断器（１２４）に関係する動作データをモニタするように構成されている複数のトリップ・ユニット（１３４）と、
前記複数のトリップ・ユニット（１３４）にネットワーク（１１４）を介して通信的に結合された共有メモリ・デバイス（１２２）であって、
少なくとも前記第２のトリップ・ユニット（１３８）に同期要求を送信することと、
前記第２のトリップ・ユニット（１３８）から応答を受信することであって、前記応答には、前記第２のトリップ・ユニット（１３８）に通信的に結合された回路遮断器（１２４）に関連付けられた動作データが含まれる、受信することと、
前記第２のトリップ・ユニット（１３８）に関連付けられた動作データを用いてマルチ・ポイント機能を実行するために前記第１のトリップ・ユニット（１３６）からデータ要求を受信することと、
前記第２のトリップ・ユニット（１３８）に関連付けられた前記動作データを、前記共有メモリ・デバイス（１２２）から前記第１のトリップ・ユニット（１３６）に、前記ネットワーク（１１４）を介して送信することと、を行なうように構成されている共有メモリ・デバイス（１２２）と、を備える電力機器保護システム（１０２）。
【請求項２】
前記共有メモリ・デバイス（１２２）は、メモリ領域（２０４）を備え、さらに、
前記第２のトリップ・ユニット（１３８）から受信した前記応答から前記第２のトリップ・ユニット（１３８）の一意な識別子を取り出すことと、
前記識別子に従って、前記第２のトリップ・ユニット（１３８）に関連付けられた前記メモリ領域（２０４）内のメモリ部分（３０２）の位置を特定することと、
前記動作データを前記メモリ部分（３０２）内に記憶することと、を行なうように構成されている請求項１に記載の電力機器保護システム（１０２）。
【請求項３】
前記共有メモリ・デバイス（１２２）はさらに、前記第２のトリップ・ユニット（１３８）から受信した前記動作データについてエラー解析を行なうように構成されている請求項１に記載の電力機器保護システム（１０２）。
【請求項４】
前記共有メモリ・デバイス（１２２）はさらに、前記動作データ中にエラーが検出されたときに、前記第１のトリップ・ユニット（１３６）にエラー通知を送信するように構成されている請求項３に記載の電力機器保護システム（１０２）。
【請求項５】
前記第１のトリップ・ユニット（１３６）は、前記第２のトリップ・ユニット（１３８）に関連付けられた前記動作データを用いる少なくとも１つの機能を実行するように構成されている請求項４に記載の電力機器保護システム（１０２）。
【請求項６】
前記第１のトリップ・ユニット（１３６）は、前記エラー通知に応答して前記動作データを入力として用いる前記少なくとも１つの機能の実行を停止するように構成されている請求項５に記載の電力機器保護システム（１０２）。
【請求項７】
前記共有メモリ・デバイス（１２２）はさらに、
前記第１のトリップ・ユニット（１３６）から受信した前記データ要求から前記第２のトリップ・ユニット（１３８）の一意な識別子を取り出すことと、
前記第２のトリップ・ユニット（１３８）の前記識別子に従って、メモリ領域（２０４）内のメモリ部分（３０２）を識別することと、
前記データ要求に応答して前記第１のトリップ・ユニット（１３６）に送信するために前記第２のトリップ・ユニット（１３８）に関連付けられた前記動作データの位置を特定することと、を行なうように構成されている請求項１に記載の電力機器保護システム（１０２）。
【請求項８】
複数のトリップ・ユニット（１３４）のうちの第１のトリップ・ユニット（１３６）と第２のトリップ・ユニット（１３８）に結合され、電力機器保護システム（１０２）とともに用いるための共有メモリ・デバイス（１２２）であって、
前記第１のトリップ・ユニット（１３６）に関連付けられた動作データを記憶するように構成されているメモリ領域（２０４）と、
前記メモリ領域（２０４）に結合されたプロセッサ（２０２）であって、
前記第１のトリップ・ユニット（１３６）からネットワーク（１１４）を介して動作データを受信することと、
前記動作データを前記メモリ領域（２０４）内に記憶することと、
前記動作データを、前記ネットワーク（１１４）を介して、前記共有メモリ・デバイス（１２２）のメモリ部分から前記複数のトリップ・ユニット（１３４）のうちの第２のトリップ・ユニット（１３８）に送信することと、を行なうように構成されているプロセッサ（２０２）と、を備える共有メモリ・デバイス（１２２）。
【請求項９】
前記プロセッサはさらに、同期要求を前記第１のトリップ・ユニット（１３６）に前記ネットワークを介して送信することと、前記同期要求に応答して前記第１のトリップ・ユニット（１３６）からメッセージを受信することであって、前記メッセージには前記動作データが含まれる、受信することと、を行なうように構成されている請求項８に記載の共有メモリ・デバイス（１２２）。
【請求項１０】
前記プロセッサ（２０２）はさらに、前記メッセージから前記第１のトリップ・ユニット（１３６）の一意な識別子を取り出すことと、前記第１のトリップ・ユニット（１３６）の前記識別子を前記メモリ領域（２０４）内のメモリ部分（３０２）に対応付けるメモリ・マップに従って、前記動作データを前記メモリ領域（２０４）内に記憶することと、を行なうように構成されている請求項９に記載の共有メモリ・デバイス（１２２）。
【請求項１１】
前記プロセッサ（２０２）はさらに、前記第２のトリップ・ユニット（１３８）からデータ要求を受信することと、前記データ要求に応答して前記第２のトリップ・ユニット（１３８）に前記動作データを送信することと、を行なうように構成されている請求項８乃至１０のいずれかに記載の共有メモリ・デバイス（１２２）。
【発明の詳細な説明】
【技術分野】
【０００１】
本明細書で説明する実施形態は一般的に、電力機器保護システムに関し、より詳細には、電力機器保護システムとともに用いるための共有メモリ・アーキテクチャに関する。
【背景技術】
【０００２】
配電機器用の少なくともいくつかの既知の保護システムは、１もしくは複数のトリップ・ユニットおよび／または１もしくは複数の回路遮断器を備えている。このようなデバイスは、回路の性状をモニタおよび／または測定し、これらの性状に基づいて回路を遮断する。また、少なくともいくつかの既知の保護システムでは、保護アルゴリズムとして、トリップ・ユニットおよび／または回路遮断器を直接接続することによって複数の回路からのデータを解析する保護アルゴリズムを用いている。しかし、直接接続は一般的に、たとえば、第１のトリップ・ユニットが、システム内に残っているトリップ・ユニットにデータを送信することができるように、付加的なハードウェア（たとえば信号反応器および／または信号スプリッタ）を必要とする。
【先行技術文献】
【特許文献】
【０００３】
【特許文献１】米国特許第６，１７９，４８９号明細書
【発明の概要】
【発明が解決しようとする課題】
【０００４】
したがって、データを共有するためにトリップ・ユニットを直接接続すると、一般的に、このような既知のシステムの設置、構成、および／または保守の複雑さが増す。
【課題を解決するための手段】
【０００５】
一態様においては、方法が、メモリ領域を備える共有メモリ・デバイスによって複数のトリップ・ユニットのうちの第１のトリップ・ユニットからデータ要求を受信することを含んでいる。各トリップ・ユニットは、対応する回路遮断器に関係する動作データを収集するように構成され、共有メモリ・デバイスはメモリ領域を備えている。また本方法は、メモリ領域内の複数のトリップ・ユニットのうちの第２のトリップ・ユニットに関連付けられた動作データの位置を特定することと、第２のトリップ・ユニットに関連付けられた動作データを、第１のトリップ・ユニットによって行なわれるマルチ・ポイント機能において用いるために第１のトリップ・ユニットに送信することと、を含んでいる。
【０００６】
別の態様においては、電力機器保護システムが、少なくとも第１のトリップ・ユニットと第２のトリップ・ユニットとを含む複数のトリップ・ユニットを備え、複数のトリップ・ユニットはそれぞれ、動作データをモニタするように構成されている。また本システムは、複数のトリップ・ユニットにネットワークを介して結合された共有メモリ・デバイスを備え、共有メモリ・デバイスは、少なくとも第２のトリップ・ユニットに同期要求を送信することと、第２のトリップ・ユニットから応答を受信することであって、応答には、第２のトリップ・ユニットに関連付けられた動作データが含まれる、受信することと、第１のトリップ・ユニットからデータ要求を受信することと、第２のトリップ・ユニットに関連付けられた動作データを、第１のトリップ・ユニットに、ネットワークを介して送信することと、を行なうように構成されている。
【０００７】
別の態様においては、共有メモリ・デバイスは、複数のトリップ・ユニットのうちの少なくとも第１のトリップ・ユニットに関連付けられた動作データを記憶するように構成されたメモリ領域と、メモリ領域に結合されたプロセッサとを備えている。プロセッサは、第１のトリップ・ユニットからネットワークを介して動作データを受信することと、メモリ領域内に動作データを記憶することと、動作データをネットワークを介して複数のトリップ・ユニットのうちの第２のトリップ・ユニットに送信することと、を行なうように構成されている。
【図面の簡単な説明】
【０００８】
【図１】機器保護システムおよび配電システムを備える典型的な電力システムの概略的なブロック図である。
【図２】図１に示す配電システムの概略的なブロック図である。
【図３】図１に示す電力システムとともに用いても良い共有メモリ・デバイス内に組み込んでも良い典型的な電気アーキテクチャの概略的なブロック図である。
【図４】図３に示す共有メモリ・デバイスとともにを用いても良い共有メモリの典型的なアーキテクチャの概略的なブロック図である。
【図５】図４に示すアーキテクチャをさらに例示する概略的なブロック図である。
【図６】図１に示す電力システム内の複数のトリップ・ユニットの動作データを共有するための典型的な方法を例示するフローチャートである。
【発明を実施するための形態】
【０００９】
本明細書では、電力機器保護システムの共有メモリ・アーキテクチャにおいて用いるためのシステム、方法、および装置の典型的な実施形態について説明する。これらの実施形態によって、複数のトリップ・ユニットが、マルチ・ポイント保護アルゴリズムで用いるための動作データを単一の共有メモリ・デバイスから得ることが可能になる。単一の共有メモリ・デバイスを用いることによって、マルチ・ポイント保護アルゴリズムを用いることが、各トリップ・ユニット間にネットワークまたは他の通信接続部を必要とすることなく可能になる。むしろ、各トリップ・ユニットは、共有メモリ・デバイスと通信して、回路遮断器動作データを記憶し、回路遮断器動作データを取り込む。ネットワーク・アーキテクチャを単純化すれば、設置をより簡単にすること、設置するシステム構成要素をより少なくすること、および／またはシステムの構成をより簡単にすることができる。また、ネットワーク・アーキテクチャを単純化すれば、用いるシステムを標準化することができる。
【００１０】
図１は、機器保護システム１０２および配電システム１０４を備える典型的な電力システム１００の概略的なブロック図である。典型的な実施形態においては、配電システム１０４は複数の開閉装置ユニット１０６を備えている。保護システム１０２は中央制御装置１０８を備えており、中央制御装置１０８は、プロセッサ１１０と、プロセッサ１１０に結合されたメモリ領域１１２とを備えている。プロセッサ１１０は、開閉装置ユニット１０６の動作を制御および／またはモニタする。より具体的には、プロセッサ１１０は、開閉装置ユニット１０６内の複数の回路遮断器およびトリップ・ユニット（どちらも図１に示さず）の動作を制御および／またはモニタする。プロセッサ１１０は開閉装置ユニット１０６とネットワーク１１４を介して通信する。たとえば、中央制御装置１０８は中央通信ユニット１１６を備え、中央通信ユニット１１６は、プロセッサ１１０と開閉装置ユニット１０６との間でネットワーク１１４を介してデータおよび／またはコマンドを送受信することを可能にする。
【００１１】
当然のことながら、用語「プロセッサ」は一般的に、任意のプログラマブル・システムであって、システムおよびマイクロコントローラ、縮小命令セット回路（ＲＩＳＣ）、特定用途向け集積回路（ＡＳＩＣ）、プログラマブル論理回路を含むもの、および任意の他の回路またはプロセッサであって、本明細書で説明した機能を実行することができるものを指す。前述の例は単に典型であり、したがって、用語「プロセッサ」の定義および／または意味を限定することを決して意図するものではない。
【００１２】
また、メモリ領域１１２は、開閉装置ユニット１０６を制御および／またはモニタするためにプログラム・コードおよび命令（プロセッサ１１０によって実行可能）を記憶するものである。メモリ領域１１２は１つまたは複数の形態のメモリを備えていても良い。たとえば、メモリ領域１１２はランダム・アクセス・メモリ（ＲＡＭ）を備えることができる。ＲＡＭには、不揮発性ＲＡＭ（ＮＶＲＡＭ）、磁気ＲＡＭ（ＭＲＡＭ）、強誘電体ＲＡＭ（ＦｅＲＡＭ）および他の形態のメモリを含めることができる。メモリ領域１１２はまた、読み出し専用メモリ（ＲＯＭ）、フラッシュ・メモリおよび／または電気的に消去可能なプログラマブル読み出し専用メモリ（ＥＥＰＲＯＭ）を備えていても良い。任意の他の好適な磁気、光、および／または半導体メモリを、単独でまたは他の形態のメモリと組み合わせて、メモリ領域１１２内に備えていても良い。メモリ領域１１２はまた、着脱可能または取り外し可能なメモリであっても良いし、これを備えていても良い。たとえば、限定することなく、好適なカートリッジ、ディスク、ＣＤＲＯＭ、ＤＶＤ、またはＵＳＢメモリである。
【００１３】
また、図１の典型的な実施形態においては、保護システム１０２は、ディスプレイ・デバイス１１８およびユーザ入力デバイス１２０を備えており、これらによって、保護システム１０２を用いて配電システム１０４をモニタおよび制御するためのユーザ・インターフェースが実現される。ディスプレイ・デバイス１１８には、限定することなく、以下のものが含まれていても良い。モニタ、テレビのディスプレイ、プラズマ・ディスプレイ、液晶ディスプレイ（ＬＣＤ）、発光ダイオード（ＬＥＤ）に基づくディスプレイ、複数の有機発光ダイオード（ＯＬＥＤ）に基づくディスプレイ、ポリマー発光ダイオード（ＰＬＥＤ）に基づくディスプレイ、複数の表面伝導型電子放出素子（ＳＥＤ）に基づくディスプレイ、映像および／もしくは鏡像を含むディスプレイ、または任意の他の好適な電子デバイスもしくはディスプレイ・メカニズム。一実施形態においては、ディスプレイ・デバイス１１８は、タッチ・スクリーンにタッチ・スクリーン・コントローラが付属したものを含んでいても良い。ディスプレイ・デバイス１１８は、任意の好適な構成、たとえば四角形、矩形、または細長い矩形であっても良い。
【００１４】
さらに、図１の典型的な実施形態においては、電力システム１００は、１または複数の共有メモリ・デバイス１２２を備えている。いくつかの実施形態においては、図１に示すように、電力システム１００は単一の共有メモリ・デバイス１２２を備えている。しかし、各開閉装置ユニット１０６はまた、以下に図２に示すように、１または複数の共有メモリ・デバイス１２２を備えていても良い。後で詳述するように、共有メモリ・デバイス１２２は、複数のトリップ・ユニットおよび／または回路遮断器に対する動作データであって、他のトリップ・ユニットおよび／または回路遮断器によりマルチ・ポイント機能を実行する際に用いるための動作データを受信して記憶する。たとえば、第１のトリップ・ユニットは、第１の回路遮断器に関係する動作データを収集する。第１のトリップ・ユニットは、動作データの収集を、第１の回路遮断器がモニタする回路の導体を通る電流レベルを測定すること、前記回路の複数の導体に渡る電圧レベルを測定すること、および／または第１の回路遮断器の遮断器状態を検出もしくは受信することによって行なっても良い。第１のトリップ・ユニットは、第１の回路遮断器に関係する動作データを共有メモリ・デバイス１２２に送信する。共有メモリ・デバイス１２２では、メモリ・マップに従って動作データを記憶する。第２のトリップ・ユニットが、マルチ・ポイント保護アルゴリズムで用いるために第１の回路遮断器に関係する動作データを要求すると、共有メモリ・デバイス１２２は、メモリ・マップに従って記憶位置を決定して、動作データを第２のトリップ・ユニットに送信する。次に第２のトリップ・ユニットは、動作データを用いて、マルチ・ポイント保護アルゴリズムを実行する。
【００１５】
いくつかの実施形態においては、用語「動作データ」は、第１のトリップ・ユニットが、第２のトリップ・ユニットが用いるために、回路遮断器から取得することができる任意の好適なデータに関する。動作データの例には、以下のものが含まれる（ただし、これらに限定されず、含むだけである）。回路遮断器がモニタする回路の導体を通る電流レベル、回路遮断器がモニタする回路の複数の導体に渡る電圧レベル、および／または回路遮断器のトリップ状態。しかし、回路遮断器の動作状態に関係する任意の好適なデータを、動作データに含めても良い。
【００１６】
用語「マルチ・ポイント機能」および「マルチ・ポイント保護アルゴリズム」は、機能、または複数の機能を有するアルゴリズムであって、トリップ・ユニットによって実行され、トリップ・ユニットが結合されている回路遮断器以外の１または複数の回路遮断器から取得されたデータ（たとえば動作データ）を用いて実行される機能またはアルゴリズムを指す。たとえば、第１のトリップ・ユニットは第１の回路遮断器から動作データを取得しても良く、第２のトリップ・ユニットは第２の回路遮断器から動作データを取得しても良い。次に第３のトリップ・ユニットが、第１のトリップ・ユニットによって収集される動作データおよび／または第２のトリップ・ユニットによって収集される動作データを、マルチ・ポイント機能またはマルチ・ポイント保護アルゴリズムを用いて分析して、システムの全体または一部としてのシステムの状態を決定しても良い。第３のトリップ・ユニットによって実行されるマルチ・ポイント機能またはマルチ・ポイント保護アルゴリズムはまた、第３のトリップ・ユニットが第３の回路遮断器から取得する動作データを用いても良い。
【００１７】
用語「メモリ・マップ」は、何らかのデバイス（たとえばトリップ・ユニット）との直接相関が割り当てられているメモリ・セグメントを指す。いくつかの実施形態においては、メモリ・マップは、メモリ・デバイス内に物理的に存在するファイルである。しかし、メモリ・マップはまた、参照することができる別個のデバイス、メモリ・オブジェクト、または他の好適な資源であっても良い。
【００１８】
図２は配電システム１０４の概略的なブロック図である。より具体的には、図２は、共有メモリ・デバイス１２２を備える開閉装置ユニット１０６の概略的なブロック図である。典型的な実施形態においては、開閉装置ユニット１０６はまた、複数の回路遮断器１２４または他の回路スイッチもしくは断続器（たとえば第１の回路遮断器１２６および第２の回路遮断器１２８）を備えている。各回路遮断器１２４は、開閉装置ユニット１０６内に取り外し可能に結合され、１または複数の負荷１３０に対する電力を制御するように構成されている。負荷１３０には、以下のものが含まれていても良い（ただし、これらに限定されず、含むだけである）。製造または発電または配電設備の、機械類、モータ、照明、および／または他の電気および機械機器。電力が開閉装置ユニット１０６に主電力供給１３２から与えられる。主電力供給１３２はまた、回路遮断器１２４に結合されている。次に電力を、負荷１３０に電力を与えるために回路遮断器１２４を用いて複数の分岐回路に分割する。
【００１９】
各回路遮断器１２４はトリップ・ユニット１３４に通信的に結合されている。たとえば、第１の回路遮断器１２６は第１のトリップ・ユニット１３６に結合され、第２の回路遮断器１２８は第２のトリップ・ユニット１３８に結合されている。典型的な実施形態においては、トリップ・ユニット１３４はまた、制御装置１０８および共有メモリ・デバイス１２２に通信的に結合されている。たとえば、トリップ・ユニット１３４は、制御装置１０８および共有メモリ・デバイス１２２と通信するために直接結合しても良いし、または通信ユニット１４０を介して制御装置１０８および共有メモリ・デバイス１２２と通信するために結合しても良い。また、トリップ・ユニット１３４、制御装置１０８、および／または共有メモリ・デバイス１２２の間の通信を、配線接続された通信リンクを介してかまたは無線通信リンクを介して実現しても良い。トリップ・ユニット１３４は、対応する回路遮断器１２４に関係する動作データを収集する。たとえば、第１のトリップ・ユニット１３６は、動作データの収集を、第１の回路遮断器１２６がモニタする回路の導体を通る電流レベル、回路遮断器１２６がモニタする前記回路の複数の導体に渡る電圧レベル、および／または回路遮断器１２６の遮断器状態を得ることによって行なっても良い。次に、各トリップ・ユニット１３４から動作データが、共有メモリ・デバイス１２２に通信ユニット１４０を介して送信される。いくつかの実施形態においては、トリップ・ユニット１３４は、動作データを、予め選択した頻度で定期的に受信する。また、いくつかの実施形態においては、トリップ・ユニット１３０は、動作データをある特定の時間の間、記憶することができるメモリ領域（図示せず）であって、トリップ・ユニット１３４が次に、バッチ量の動作データを共有メモリ・デバイス１２２に送信することができるようにするメモリ領域を備えている。典型的な実施形態においては、トリップ・ユニット１３４は、マルチ・ポイント保護アルゴリズムに対する記憶された命令を、複数の回路遮断器１２４に関係する動作データを用いて実行する。たとえば、第２のトリップ・ユニット１３８は、１または複数のマルチ・ポイント保護アルゴリズムを、第１の回路遮断器１２６に関係する動作データを用いて実行する。
【００２０】
図３は、共有メモリ・デバイス１２２内に取り入れても良い典型的な電気アーキテクチャ２００の概略的なブロック図である。典型的な実施形態においては、共有メモリ・デバイス１２２は、バス２０６を介して相互接続されたプロセッサ２０２とメモリ領域２０４とを備えている。代替的な実施形態においては、各共有メモリ・デバイス１２２は複数のプロセッサ２０２を備えている。また、別の代替的な実施形態においては、各共有メモリ・デバイス１２２は複数のメモリ領域２０４を備えている。プロセッサ２０２は、任意のプログラマブル・システムであって、システムおよびマイクロコントローラ、縮小命令セット回路（ＲＩＳＣ）、特定用途向け集積回路（ＡＳＩＣ）、プログラマブル論理回路を含むものであっても良いし、または任意の他の回路またはプロセッサであって、本明細書で説明した機能を実行することができるものであっても良い。メモリ領域２０４は、各トリップ・ユニット１３４および／または各回路遮断器１２４（図２に示す）に対する動作データであって、他のトリップ・ユニット１３４および／または回路遮断器１２４によりマルチ・ポイント機能を実行する際に用いるための動作データを記憶している。メモリ領域２０４は１つまたは複数の形態のメモリを備えていても良い。たとえば、メモリ領域２０４はランダム・アクセス・メモリ（ＲＡＭ）を備えることができる。ＲＡＭには、不揮発性ＲＡＭ（ＮＶＲＡＭ）、磁気ＲＡＭ（ＭＲＡＭ）、強誘電体ＲＡＭ（ＦｅＲＡＭ）および他の形態のメモリを含めることができる。メモリ領域２０４はまた、読み出し専用メモリ（ＲＯＭ）、フラッシュ・メモリおよび／または電気的に消去可能なプログラマブル読み出し専用メモリ（ＥＥＰＲＯＭ）を備えていても良い。任意の他の好適な磁気、光、および／または半導体メモリを、単独でまたは他の形態のメモリと組み合わせて、メモリ領域１１２内に備えていても良い。メモリ領域２０４はまた、着脱可能または取り外し可能なメモリであっても良いし、これを備えていても良い。たとえば、限定することなく、好適なカートリッジ、ディスク、ＣＤＲＯＭ、ＤＶＤ、またはＵＳＢメモリである。
【００２１】
共有メモリ・デバイス１２２はまた、共有メモリ・デバイス１２２をネットワーク１１４に結合する通信ユニット２０８を備えている。いくつかの実施形態においては、共有メモリ・デバイス１２２は、プロセッサ２０２およびメモリ２０４にバス２０６を介して結合されている１または複数のユーザ・インターフェースを備えている。たとえば、キーボード２１０、マウス２１２、および／またはディスプレイ・デバイス２１４である。典型的な実施形態においては、メモリ領域２０４の一部は、システム１００内の各トリップ・ユニット１３４（図２に示す）にとってアクセス可能な共有メモリ２１６である。これについては、以下に詳細に説明する。
【００２２】
図４は、各共有メモリ・デバイス１２２（図１〜３に示す）内の共有メモリ２１６の典型的なアーキテクチャ３００の概略的なブロック図である。典型的な実施形態においては、共有メモリ２１６は複数のメモリ部分３０２を備えている。各メモリ部分３０２は特定のトリップ・ユニット１３４（図２に示す）に関連付けられている。より具体的には、各トリップ・ユニット１３４は、一意な識別子を用いて識別されている。たとえば、限定することなく、ネットワーク・ノード数、ネットワーク・アドレス、機械アクセス制御（ＭＡＣ）アドレス、または任意の好適で読取可能なハードウェア・タグである。共有メモリ２１６は、回路遮断器１２４（図２に示す）がモニタする回路の導体を通る電流レベルを含む動作データを記憶する。回路遮断器１２４は各トリップ・ユニット１３４に関連付けられている。また、共有メモリ２１６は、回路遮断器１２４がモニタする回路の複数の導体に渡る電圧レベルを記憶している。回路遮断器１２４は各トリップ・ユニット１３４に関連付けられている。加えて、共有メモリ２１６は各回路遮断器１２４の遮断器状態を記憶している。典型的な実施形態においては、各トリップ・ユニット１３４は特定の間隔３０４に関連付けられている。典型的な実施形態においては、トリップ・ユニット１３４に関連付けられた間隔３０４は、等しいサイズである。代替的な実施形態においては、第１のトリップ・ユニット１３６に対する間隔３０４のサイズは、第２のトリップ・ユニット１３８に対する間隔３０４と異なっている。代替的な実施形態においては、各メモリ部分３０２は特定の回路遮断器１２４に関連付けられている。
【００２３】
図５は、共有メモリ２１６のアーキテクチャ３００をさらに例示する概略的なブロック図である。具体的には、図５に例示するのは、１つのトリップ・ユニット１３４（図２に示す）に関連付けられたメモリ間隔３０４である。各メモリ間隔３０４は、関連付けられたトリップ・ユニット１３４に対する開始メモリ・アドレス４０２であって、関連付けられたトリップ・ユニット１３４に対する一意な識別子に対応する開始メモリ・アドレス４０２を含んでいる。また、各メモリ間隔３０４は、複数のオフセット４０４であって、それぞれ、初期構成値４０６、測定電流レベル４０８、測定電圧レベル４１０、遮断器トリップ状態４１２、およびシステム１００内で用いる任意の他の必要な変数に関連付けられた複数のオフセット４０４を含んでいる。
【００２４】
図６は、電力保護システム１０２（図１に示す）内の複数の回路遮断器１２４（図２に示す）の動作データを記憶および／または共有するための典型的な方法を例示するフローチャート５００である。典型的な実施形態においては、共有メモリ・デバイス１２２（図２に示す）は、同期要求メッセージをトリップ・ユニット１３４（図２に示す）に送信する５０２（たとえば定期的に送信する）。同期要求メッセージに応答して、各トリップ・ユニット１３４は、対応する回路遮断器１２４から動作データを取り込む。たとえば、第１のトリップ・ユニット１３６は第１の回路遮断器１２６から動作データを取り込む（両方とも図２に示す）。典型的な実施形態においては、共有メモリ・デバイス１２２は各トリップ・ユニット１３４から応答（たとえば、回路遮断器１２４に対応する動作データ）を受信する５０４。
【００２５】
共有メモリ・デバイス１２２は、トリップ・ユニット１３４から受信した応答および／または動作データのエラー解析を行ない５０６、トリップ・ユニット１３４から受信した応答および／または動作データにエラー・メッセージ（たとえば同期破損メッセージまたはネットワーク・タイムアウト・メッセージ）が含まれているか否かを判定する５０８。エラーが検出されないときには、共有メモリ・デバイス１２２は、共有メモリ２１６のどのメモリ部分３０２（図４に示す）が、各トリップ・ユニット１３４に対応するかを決定して５１０、各トリップ・ユニット１３４から受信した動作データを記憶する５１２。たとえば、プロセッサ２０２（図３に示す）は、第１のトリップ・ユニット１３６に関連付けられた一意な識別子を、第１のトリップ・ユニット１３６から受信した応答から取り出す。前述したように、一意な識別子は、ネットワーク・ノード数、ネットワーク・アドレス、機械アクセス制御（ＭＡＣ）アドレス、または任意の好適で読取可能なハードウェア・タグであっても良い。一意な識別子に基づいて、プロセッサ２０２は、第１のトリップ・ユニット１３６のメモリ開始アドレス４０２（図５に示す）を決定する。プロセッサ２０２は、第１のトリップ・ユニット１３６から受信した動作データを、対応するメモリ部分３０２内に記憶する。しかし、エラーが検出されたら、たとえば、共有メモリ・デバイス１２２は、エラーを決定して５１４、エラー・ログをメモリ領域２０４（図３に示す）内に生成する。
【００２６】
典型的な実施形態においては、共有メモリ・デバイス１２２はまた、複数の回路遮断器１２４の動作データに基づいてマルチ・ポイント機能を行なう際に用いるためにトリップ・ユニット１３４からデータ要求を受信する５１６。共有メモリ・デバイス１２２は、要求側トリップ・ユニット１３４の一意な識別子を決定し５１８、被要求側トリップ・ユニット１３４の一意な識別子を決定する５２０。たとえば、共有メモリ・デバイス１２２は、第２のトリップ・ユニット１３８に関係する動作データに基づいてマルチ・ポイント機能を行なう際に用いるために第１のトリップ・ユニット１３６からデータ要求を受信する５１６。プロセッサ２０２は、第１のトリップ・ユニット１３６の一意な識別子を、たとえば、第１のトリップ・ユニット１３６の一意な識別子をデータ要求から取り出すことによって決定する５１８。加えて、プロセッサ２０２は、第２のトリップ・ユニット１３８の一意な識別子を、たとえば、第２のトリップ・ユニット１３８の一意な識別子をデータ要求から取り出すことによって決定する５２０。
【００２７】
次に共有メモリ・デバイス１２２は、最新の同期要求の結果としてエラーが記録されたか否かを判定する５２２。被要求側トリップ・ユニット１３４に対してエラーが記録された場合には、共有メモリ・デバイス１２２は、要求側トリップ・ユニット１３４にエラー・メッセージを送信する５２４。いくつかの実施形態においては、要求側トリップ・ユニット１３４は次に、被要求側トリップ・ユニット１３４に関係する動作データを用いる任意のマルチ・ポイント機能の実行を停止する。たとえば、プロセッサ２０２は、エラー・ログ内のメモリ領域２０４を検索（たとえば、構文解析）して、第２のトリップ・ユニット１３８の一意な識別子を探す。プロセッサ２０２が、第２のトリップ・ユニット１３８の同期に関係してエラーが記録されたと決定した場合には５２２、プロセッサ２０２はエラー・メッセージを第１のトリップ・ユニット１３６に送信する５２４。いくつかの実施形態においては、第１のトリップ・ユニット１３６は、第２のトリップ・ユニット１３８に関係する動作データを用いる任意のマルチ・ポイント機能の実行を停止する。典型的な実施形態において、共有メモリ・デバイス１２２が、被要求側トリップ・ユニット１３４に関係するエラーが記録されなかったと判定した場合には５２２、共有メモリ・デバイス１２２は、共有メモリ２１６のどのメモリ部分３０２が、被要求側トリップ・ユニット１３４に対応するかを決定して５２６、記憶された動作データを、要求側トリップ・ユニット１３４に送信する５２８。たとえば、プロセッサ２０２は、第２のトリップ・ユニット１３８のメモリ開始アドレス４０２を決定して５２６、第２のトリップ・ユニット１３８に対する記憶された動作データを、第１のトリップ・ユニット１３６に送信する５２８。
【００２８】
以上、システム、方法、および装置の典型的な実施形態について詳細に説明している。システム、方法、および装置は、本明細書で説明した特定の実施形態には限定されず、むしろ、方法の動作ならびに／またはシステムおよび／もしくは装置の構成要素は、本明細書で説明した他の動作および／または構成要素から独立および別個に用いても良い。さらに、説明した動作および／または構成要素を、他のシステム、方法、および／または装置において規定しても良いし、またはこれらと組み合わせて用いても良く、本明細書で説明したようなシステム、方法、および記憶媒体のみを用いて実行することに限定されない。
【００２９】
制御装置（たとえば、本明細書で説明したもの）は、少なくとも１つのプロセッサまたは処理装置およびシステム・メモリを備えている。制御装置は通常、少なくとも何らかの形態のコンピュータ読取可能な媒体を有している。一例としてまた限定としてではなく、コンピュータ読取可能な媒体にはコンピュータ記憶媒体および通信媒体が含まれる。コンピュータ記憶媒体には、コンピュータ読取可能命令、データ構造、プログラム・モジュール、または他のデータなどの情報を記憶するための任意の方法または技術において実施される揮発性および不揮発性、取り外し可能および取り外し不可能媒体が含まれる。通信媒体によって通常、変調データ信号（たとえば搬送波または他の移送機構）中のコンピュータ読取可能な命令、データ構造、プログラム・モジュール、または他のデータが具体化されるとともに、通信媒体には任意の情報配信媒体が含まれる。当業者であれば、変調データ信号をよく知っている。変調データ信号は、その特徴の１または複数が、信号内の情報をエンコードするような方法で設定または変更されている。前述のうちいずれかを組み合わせることも、コンピュータ読取可能な媒体の範囲に含まれる。
【００３０】
本発明を、典型的な配電および保護システム環境と関連させて説明しているが、本発明の実施形態は、多くの他の汎用または専用の配電および保護システム環境または構成とともに動作するものである。配電および保護システム環境は、本発明の任意の態様の使用または機能性の範囲について何らかの限定を示唆することを意図するものではない。また、配電および保護システム環境には、典型的な動作環境において例示した構成要素のいずれか一つまたはその組み合わせに関係する何らかの依存関係または要求があるものと解釈してはならない。
【００３１】
本発明の実施形態は、１または複数のコンピュータまたは他のデバイスによって実行されるコンピュータ実行可能命令（たとえばプログラム構成要素またはモジュール）の一般的な文脈で記述しても良い。本発明の態様は、任意の数および構成の構成要素またはモジュールを用いて実施しても良い。たとえば、本発明の態様は、図に例示し本明細書で説明した具体的なコンピュータ実行可能命令または具体的な構成要素もしくはモジュールに限定されない。本発明の代替的な実施形態には、本明細書で例示および説明したものよりも機能性が多いかまたは少ないコンピュータ実行可能命令または構成要素が含まれていても良い。
【００３２】
特に指示がない限り、本明細書で例示および説明した本発明の実施形態における動作の実行または実施の順序は本質的ではない。すなわち、動作は、特に指示がない限り、任意の順序で実施しても良く、また本発明の実施形態には、さらなる動作または本明細書で開示したものよりも少ない動作が含まれていても良い。たとえば、特定の動作を、別の動作の前に、同時に、または後に実行または実施することは、本発明の態様の範囲内であると考えられる。
【００３３】
本発明の態様またはその実施形態の要素を導入するとき、冠詞「ａ」「ａｎ」「ｔｈｅ」および「前記（ｓａｉｄ）」は、要素のうちの１または複数が存在していることを意味することが意図されている。用語「備える（ｃｏｍｐｒｉｓｉｎｇ）」、「含む（ｉｎｃｌｕｄｉｎｇ）」、および「有する（ｈａｖｉｎｇ）」は、包含的であることが意図されており、列記された要素以外の付加的な要素が存在していても良いことを意味している。
【００３４】
この書面の説明では、実施例を用いて、本発明を、ベスト・モードも含めて開示するとともに、どんな当業者も本発明を実施できるように、たとえば任意の装置またはシステムを作りおよび用いること、ならびに取り入れた任意の方法を実行することができるようにしている。本発明の特許可能な範囲は、請求項によって定められるとともに、当業者に想起される他の実施例を含んでいても良い。このような他の実施例は、請求項の文字通りの言葉使いと違わない構造要素を有する場合、または請求項の文字通りの言葉使いとの違いが非実質的である均等な構造要素を含む場合には、請求項の範囲内であることが意図されている。
【図１】
0005951226.tif 000002
【図２】
0005951226.tif 000003
【図３】
0005951226.tif 000004
【図４】
0005951226.tif 000005
【図５】
0005951226.tif 000006
【図６】
0005951226.tif 000007